(57)【要約】　　　（修正有）【課題】ＷＷＷクライアントを用いて装置の設定やデータ登録を遠隔的に行えるようにした際に、ＩＰアドレスの設定操作時に適切に対処することができるネットワークファクシミリ装置の制御方法を提供する。【解決手段】上記クライアントにより装置のＩＰアドレスを設定した場合、設定後のＩＰアドレスをＷＷＷクライアントに通知し、クライアントではその通知されたアドレス値をＨＴＭＬファイルとして保存する。【効果】新しく設定したＩＰアドレスを保持しておくことができるので、ユーザーが入力した値を利用できるようになる。【選択図】　　　　　図１
2004007455.tif 000002
【特許請求の範囲】
【請求項１】
公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、
ネットワークを介して他の端末装置のＷＷＷクライアントにより自端末のＷＷＷ操作画面をアクセス可能とするとともに、
上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、その通知されたＩＰアドレス値を保存するとともに、
その後、同一ネットワークファクシミリ装置へアクセスする場合には、保存したＩＰアドレス値を用いてアクセス動作を行うことを特徴とするネットワークファクシミリ装置の制御方法。
【請求項２】
公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、
ネットワークを介して他の端末装置のＷＷＷクライアントにより自端末のＷＷＷ操作画面をアクセス可能とするとともに、
上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、その通知されたＩＰアドレス値をＨＴＭＬファイルとして保存するとともに、
その後、同一ネットワークファクシミリ装置へアクセスする場合には、上記保存したＨＴＭＬファイルのＩＰアドレス値を用いてアクセス動作を行うことを特徴とするネットワークファクシミリ装置の制御方法。
【請求項３】
公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、
ネットワークを介して他の端末装置のＷＷＷクライアントにより自端末のＷＷＷ操作画面をアクセス可能とするとともに、
上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、その通知されたＩＰアドレス値を含むＵＲＬをホームページとして保存することを特徴とするネットワークファクシミリ装置の制御方法。
【請求項４】
公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、
ネットワークを介して他の端末装置のＷＷＷクライアントにより自端末のＷＷＷ操作画面をアクセス可能とするとともに、
上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、ＩＰアドレスが通知されてから、所定時間を経過した後に、その通知されたＩＰアドレス値を使用してネットワークファクシミリ装置へアクセス可能とすることを特徴とするネットワークファクシミリ装置の制御方法。
【請求項５】
公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、
ネットワーク上に、ネットワークファクシミリ装置のＩＰアドレスを管理するサーバ装置を設ける一方、
ネットワークを介して他の端末装置のＷＷＷクライアントにより自端末のＷＷＷ操作画面をアクセス可能とするとともに、
上記ＷＷＷ操作画面においてＩＰアドレスの設定操作が行われた場合には、当該設定操作後のＩＰアドレス値を、上記サーバ装置へ登録することを特徴とするネットワークファクシミリ装置の制御方法。
【請求項６】
公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、
ネットワーク上に、ネットワークファクシミリ装置のＩＰアドレスを管理するサーバ装置を設ける一方、
ネットワークを介して他の端末装置のＷＷＷクライアントにより自端末のＷＷＷ操作画面をアクセス可能とするとともに、
上記ＷＷＷ操作画面においてＩＰアドレスの設定操作が行われた場合には、当該設定操作後のＩＰアドレス値を、上記サーバ装置へ登録するとともに、当該登録が終了した旨を通知する画面情報をＷＷＷクライアントへ応答し、
上記画面情報には、接続先として上記サーバ装置へ接続するためのＵＲＬが含まれ、上記ＷＷＷクライアントは、当該ＵＲＬへアクセスすることで、上記サーバ装置より新ＩＰアドレスを取得するようにしたことを特徴とするネットワークファクシミリ装置の制御方法。
【発明の詳細な説明】
【０００１】
【発明の属する技術分野】
本発明は、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法に関する。
【０００２】
【従来の技術】
従来より、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置が実用されている。
【０００３】
さて、このようなネットワークファクシミリ装置を利用する際、ネットワークに接続されているのだから、それを有効利用したいという要求がある。例えば、ネットワークを介して接続される他のデータ端末装置（例えば、パーソナルコンピュータ装置等）から、ネットワークファクシミリ装置の設定や登録情報を入力したいという要求がある。
【０００４】
そこで、ネットワークファクシミリ装置にＷＷＷサーバ機能を搭載し、ネットワークファクシミリ装置の設定操作に必要な種々の設定画面やデータ登録画面等の画面情報を保存し、パーソナルコンピュータ装置等にインストールしたＷＷＷクライアント（いわゆる、ＷＷＷブラウザ）から、ネットワークファクシミリ装置の各種設定やデータ登録を行うことができるようにしたものが実用されている（特許文献１を参照）。
【０００５】
【特許文献１】
特開２０００−９２２６２号公報
【０００６】
【発明が解決しようとする課題】
ところで、従来のネットワークファクシミリ装置では、自端末に設定されているＩＰアドレスが変更された場合には、ＩＰアドレスが変更されてしまうため、今までアクセスしていたＵＲＬが利用できなくなる。そのため、新しいＵＲＬをユーザーが入力することによりブラウザから再接続を行っていた。
【０００７】
また、ＷＷＷブラウザから機器の設定を行う場合に使用するＵＲＬは、機器に設定されているＩＰアドレスを指定する場合が多い。ＷＷＷブラウザからＴＣＰ／ＩＰ設定（ＩＰアドレス）を変更した場合には、新しいＩＰアドレスをＷＷＷブラウザのＵＲＬ欄にユーザーが手で入力をしないと再接続ができなかった。
【０００８】
その新しいＩＰアドレスを設定する場合には、設定する値をあらかじめ紙に控えておくなどの記録を残しておかないと正しい値を手で入力することができなかった。また、手で入力を行うため誤入力が発生することもあり得た。
【０００９】
本発明は、かかる実情に鑑みてなされたものであり、ＷＷＷクライアントを用いて装置の設定やデータ登録を遠隔的に行えるようにした際に、ＩＰアドレスの設定操作時に適切に対処することができるネットワークファクシミリ装置の制御方法を提供することを目的としている。
【００１０】
【課題を解決するための手段】
本発明は、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、ネットワークを介して他の端末装置のＷＷＷクライアントにより自端末のＷＷＷ操作画面をアクセス可能とするとともに、上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、その通知されたＩＰアドレス値を保存するとともに、その後、同一ネットワークファクシミリ装置へアクセスする場合には、保存したＩＰアドレス値を用いてアクセス動作を行うようにしたものである。
【００１１】
また、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、ネットワークを介して他の端末装置のＷＷＷクライアントにより自端末のＷＷＷ操作画面をアクセス可能とするとともに、上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、その通知されたＩＰアドレス値をＨＴＭＬファイルとして保存するとともに、その後、同一ネットワークファクシミリ装置へアクセスする場合には、上記保存したＨＴＭＬファイルのＩＰアドレス値を用いてアクセス動作を行うようにしたものである。
【００１２】
また、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、ネットワークを介して他の端末装置のＷＷＷクライアントにより自端末のＷＷＷ操作画面をアクセス可能とするとともに、上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、その通知されたＩＰアドレス値を含むＵＲＬをホームページとして保存するようにしたものである。
【００１３】
また、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、ネットワークを介して他の端末装置のＷＷＷクライアントにより自端末のＷＷＷ操作画面をアクセス可能とするとともに、上記ＷＷＷ操作画面においてＩＰアドレスの設定操作が行われた場合には、当該設定操作後のＩＰアドレス値を、上記ＷＷＷクライアント側に通知し、上記ＷＷＷクライアントでは、ＩＰアドレスが通知されてから、所定時間を経過した後に、その通知されたＩＰアドレス値を使用してネットワークファクシミリ装置へアクセス可能とするようにしたものである。
【００１４】
また、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、ネットワーク上に、ネットワークファクシミリ装置のＩＰアドレスを管理するサーバ装置を設ける一方、ネットワークを介して他の端末装置のＷＷＷクライアントにより自端末のＷＷＷ操作画面をアクセス可能とするとともに、上記ＷＷＷ操作画面においてＩＰアドレスの設定操作が行われた場合には、当該設定操作後のＩＰアドレス値を、上記サーバ装置へ登録するようにしたものである。
【００１５】
また、公衆網に接続し、公衆網を介して画情報をやりとりするファクシミリ通信機能と、ネットワークに接続し、ネットワークを介して画情報をやりとりするネットワークファクシミリ通信機能を備えたネットワークファクシミリ装置の制御方法において、ネットワーク上に、ネットワークファクシミリ装置のＩＰアドレスを管理するサーバ装置を設ける一方、ネットワークを介して他の端末装置のＷＷＷクライアントにより自端末のＷＷＷ操作画面をアクセス可能とするとともに、上記ＷＷＷ操作画面においてＩＰアドレスの設定操作が行われた場合には、当該設定操作後のＩＰアドレス値を、上記サーバ装置へ登録するとともに、当該登録が終了した旨を通知する画面情報をＷＷＷクライアントへ応答し、上記画面情報には、接続先として上記サーバ装置へ接続するためのＵＲＬが含まれ、上記ＷＷＷクライアントは、当該ＵＲＬへアクセスすることで、上記サーバ装置より新ＩＰアドレスを取得するようにしたものである。
【００１６】
【発明の実施の形態】
以下、添付図面を参照しながら、本発明の実施の形態を詳細に説明する。
【００１７】
図１は、本発明の一実施例にかかるネットワークシステムを示している。
【００１８】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１９】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００２０】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００２１】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェア（電子メールクライアントソフトウェアを含む）などの種々のプログラムが導入されており、特定のユーザにより使用されるものである。ここで、特定のユーザは、一人または複数人のユーザであってよい。
【００２２】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００２３】
図２は、ネットワークファクシミリ装置ＦＸの構成例を示している。
【００２４】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２５】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２８】
網制御装置１１は、このネットワークファクシミリ装置ＦＸをアナログ公衆回線網ＰＳＴＮに接続するためのものであり、自動発着信機能を備えている。
【００２９】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００３０】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３１】
また、網制御装置１１とグループ３ファクシミリモデム１０との間のデータのやりとりは、直接行なわれている。
【００３２】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ　Ｍａｉｌ　Ｔｒａｎｓｆｅｒ　Ｐｒｏｔｏｃｏｌ）という通信プロトコルが適用される。
【００３３】
また、各端末がメールサーバ装置ＳＭに対して、ユーザ宛の電子メールの受信確認や取得要求などのために適用するプロトコルとしては、いわゆるＰＯＰ（Ｐｏｓｔ　Ｏｆｆｉｃｅ　Ｐｒｏｔｏｃｏｌ）などを適用することができる。
【００３４】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ　ＰｕｒｐｏｓｅＭａｉｌ　Ｅｘｔｅｎｓｉｏｎ）形式）などでそれぞれ規定されている。
【００３５】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、アナログ公衆回線網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定されたアナログ公衆回線網ＰＳＴＮのグループ３ファクシミリ装置へ転送する転送サービス機能等を備えている。
【００３６】
また、自端末宛に受信した電子メールについては、本文情報に配置される画情報を取り出して、記録出力するようにしている。
【００３７】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３８】
さて、本実施例では、ローカルエリアネットワークＬＡＮに接続されているワークステーション装置ＷＳ１〜ＷＳｎより、ネットワークファクシミリ装置ＦＸの各種設定、種々のデータ登録の操作、および、種々のレポートの表示取得を遠隔的に行えるようにしている。
【００３９】
この遠隔操作のための通信プロトコルとしては、ＨＴＴＰ（ＲＦＣ１９４５（ＨＴＴＰ１．０），ＲＦＣ２６１６（ＨＴＴＰ１．１）参照）を採用し、したがって、ネットワークファクシミリ装置ＦＸにはＨＴＴＰのサーバ機能を実現するためのＷＷＷサーバ機能を設けるとともに、ワークステーション装置ＷＳ１〜ＷＳｎには、ＨＴＴＰのクライアント機能を実現するためのＷＷＷクライアント機能（いわゆる、ＷＷＷブラウザ）を備える。
【００４０】
図３は、ＨＴＴＰのプロトコルによる通信の一例を示している。
【００４１】
まず、ＷＷＷクライアントは、目的とするＷＷＷサーバに対して、リクエストを送出し、ＷＷＷサーバは、受信したリクエストに対応した処理を実行し、その処理結果をレスポンスとしてＷＷＷクライアントへ応答する。
【００４２】
ここで、ＷＷＷクライアントがＷＷＷサーバへ送出するリクエストは、「（Ｍｅｔｈｏｄ）（ＵＲＩ）ＨＴＴＰ／（Ｖｅｒｓｉｏｎ）」というリクエスト行のみ、あるいは、リクエスト行に種々の情報（引数とも言う）を付加した内容を持つ。
【００４３】
また、（Ｍｅｔｈｏｄ）は、ＧＥＴ，ＨＥＡＤ，ＰＯＳＴのいずれかである。そして、（ＵＲＩ）で指定したパス名のファイル（ヘッダ情報と本体情報の全部）をレスポンスで取得要求する場合には、ＧＥＴが用いられる。また、（ＵＲＩ）で指定したパス名のファイルのヘッダ情報のみをレスポンスで取得要求する場合には、ＨＥＡＤが用いられる。また、ＣＧＩ等の処理を伴う場合に、その当該処理の引数を渡す場合等には、ＰＯＳＴが用いられる。また、ＧＥＴは、（ＵＲＩ）で指定したファイルにアクセスする際に、当該ファイル内のいずれかのフィールドにデータを引数として渡す場合にも用いられる。
【００４４】
なお、レスポンスの内容としてやりとりされるファイルは、ＨＴＭＬ（ＨｙｐｅｒＴｅｘｔ　Ｍａｒｋｕｐ　Ｌａｎｇｕａｇｅ）で記述されたものである。
【００４５】
そして、ワークステーション装置ＷＳ１〜ＷＳｎから、ネットワークファクシミリ装置ＦＸを遠隔操作するためには、ワークステーション装置ＷＳ１〜ＷＳｎのユーザは、ＷＷＷブラウザを起動して、ローカルエリアネットワークＬＡＮを介し、ネットワークファクシミリ装置ＦＸのＷＷＷサーバへ、初期画面を取得要求するリクエストを送出する。
【００４６】
それにより、ネットワークファクシミリ装置ＦＸのＷＷＷサーバは、初期画面のファイルデータを、取得要求元のワークステーション装置ＷＳ１〜ＷＳｎへ、レスポンスとして送出する。
【００４７】
これにより、ワークステーション装置ＷＳ１〜ＷＳｎのＷＷＷブラウザの表示画面には、ネットワークファクシミリ装置ＦＸを遠隔操作するための初期画面が表示される。
【００４８】
この初期画面には、ユーザが操作可能な項目を選択するためのクリック可能操作要素（ボタンシンボル等）が表示されており、それらの項目をユーザが選択操作（クリック操作）すると、対応する操作項目に関連づけられたより具体的な操作画面を取得要求するリクエストが、ＷＷＷクライアントよりＷＷＷサーバへ送出される。
【００４９】
それにより、ユーザが実行した操作に対応した画面に、ＷＷＷクライアントの表示画面の内容が更新される。
【００５０】
このような操作が順次繰り返されて、ユーザが所望する設定項目またはデータ登録項目またはレポート取得の表示画面に到達すると、ユーザは、当該表示画面に何らかの操作を行い、設定操作あるいは登録操作あるいはレポート取得操作を指定する。
【００５１】
図４は、ネットワークファクシミリ装置ＦＸの登録画面のうちＴＣＰ／ＩＰ設定画面の一例を示している。
【００５２】
このＴＣＰ／ＩＰ設定画面を操作して、ＩＰアドレスを変更して「適用」ボタンを押すことにより、新しいＩＰアドレスがネットワークファクシミリ装置ＦＸにＨＴＴＰプロトコルで伝わる。
【００５３】
ネットワークファクシミリ装置ＦＸは、新しいＩＰアドレスが通知されると、それを自端末に設定してリセット動作に移行し、新しいＩＰアドレスの通信環境を設定する。
【００５４】
ここで、ＷＷＷブラウザの「アドレス」欄に表示（接続先として指定している）は、変更後のＩＰアドレスを指定しなおさないと再接続ができない状態になっている。
【００５５】
この状態で、ＷＷＷブラウザのリロードボタン等を押すと「ＮＯＴ　ＦＯＵＮＤ」となりページ表示がされない。接続要求は、ブラウザ側からされるので、新しいＩＰアドレスをネットワークファクシミリ装置側から通知することは、できない。
【００５６】
そこで、図５に示すように、図４の設定画面で「適用」ボタンが押された後にネットワークファクシミリ装置からブラウザに返される画面（ＨＴＭＬファイル；リセット中メッセージ画面）を設ける。
【００５７】
このリセット中メッセージ画面自体には新しいＩＰアドレスを埋め込むことはできない。この画面を返した後に、ＩＰアドレスが変更されるためである。そのため、新しいＩＰアドレスを別の画面内に保持しておく必要がある。
【００５８】
例えば、図４，５では、１つの画面を表示するのに複数のファイルから構成されている。たとえば、「管理者モード終了、トップページ、ヘルプ」などが表示されているフレームＳＦ、その下のメニューや左端のサブメニュー（あて先、メモリー転送、・・・・）が表示されるフレームＭＭ、および、操作画面やメッセージを表示するためのフレームＭＦなどがある。
【００５９】
このとき、図４の画面から図５の画面に画面が遷移するとき、フレームＭＦ以外のフレームの内容は書き換えられていない。したがって、それ以外のフレームＳＦ，ＭＭを記述するＨＴＭＬファイル内に変数領域を持つことにより変更後のＩＰアドレスを保持しておくことができる。
【００６０】
例えば、「適用」ボタンが押された時に、ＩＰアドレス欄にユーザーが入力した値を取得して、用意した変数領域にセットすることができる。その後に、変更されたＩＰアドレスをネットワークファクシミリ装置に対してＰＯＳＴする。また、保持する変数領域には、＜ＩＮＰＵＴ　ＴＹＰＥ＝”ＨＩＤＤＥＮ”＞領域を用いることにより、画面内に表示されない任意の名称を持つ変数を画面（ＨＴＭＬファイル）内に持つことができる。
【００６１】
これにより、ユーザが知る必要のない余計な情報を画面に表示しないですむ。また、メニュー遷移に応じて書き換えられる画面が変わる場合には、その制御にあわせて最適な（影響をうけない）画面内に変数を持つことができる。
【００６２】
このようにして、本実施例では、ユーザがＷＷＷブラウザを操作して新しく設定したＩＰアドレスをＨＴＭＬ上に保持しておくことができるので、ユーザーが入力した値を任意に利用することができる。
【００６３】
また、図５に示したリセット中メッセージ画面の「戻る」ボタンは、当該画面が表示されてから、一定時間（例えば、ネットワークファクシミリ装置ＦＸが再起動完了するまでに要する時間）を経過した後に、操作可能とし、それまでは操作できないように設定すると、ユーザの誤操作を抑制できる。
【００６４】
図６は、この場合のＩＰ設定操作に関し、ネットワークファクシミリ装置ＦＸが実行する処理の一例を示している。
【００６５】
まず、自端末宛のＨＴＴＰリクエストを受信すると（判断１０１の結果がＹＥＳ）、受信したＨＴＴＰリクエストの内容を解析し（処理１０２）、そのときに受信したＨＴＴＰリクエストの内容が、ＩＰ設定操作であったかどうかを調べる（判断１０３）。
【００６６】
判断１０３の結果がＹＥＳになるときには、図４に示したようなＩＰ設定画面を構成するＨＴＭＬファイルを、そのときのレスポンスとして要求元へ送信する（処理１０４）。
【００６７】
また、判断１０３の結果がＮＯになるときには、そのときに受信したＨＴＴＰリクエストの内容が、「適用」ボタン操作であったかどうかを調べる（判断１０５）。
【００６８】
判断１０５の結果がＹＥＳになるときには、そのときに入力されたＩＰアドレスの値を非表示変数領域にセットし、図５に示したようなリセット中メッセージ画面のＨＴＭＬファイルを、そのときのレスポンスとして送信元へと送信する（処理１０６）。
【００６９】
また、また、判断１０５の結果がＮＯになるときには、そのときに受信したＨＴＴＰリクエストの内容が、「戻る」ボタン操作であったかどうかを調べる（判断１０７）。
【００７０】
判断１０７の結果がＹＥＳになるときには、図４に示したＩＰ設定画面に、ＩＰアドレス値をセットし、そのＩＰアドレス値を伴うＩＰ設定画面のＨＴＭＬファイルを、そのときのレスポンスとして送信元へと送信する（処理１０８）。
【００７１】
また、判断１０７の結果がＮＯになるときには、そのときに受信したＨＴＴＰリクエストの内容に応じた処理を実行する（処理１０９）。
【００７２】
図７は、ＩＰ設定操作に関し、ネットワークファクシミリ装置ＦＸが実行する処理の他の例を示している。
【００７３】
まず、自端末宛のＨＴＴＰリクエストを受信すると（判断２０１の結果がＹＥＳ）、受信したＨＴＴＰリクエストの内容を解析し（処理２０２）、そのときに受信したＨＴＴＰリクエストの内容が、ＩＰ設定操作であったかどうかを調べる（判断２０３）。
【００７４】
判断２０３の結果がＹＥＳになるときには、図４に示したようなＩＰ設定画面を構成するＨＴＭＬファイルを、そのときのレスポンスとして要求元へ送信する（処理２０４）。
【００７５】
また、判断２０３の結果がＮＯになるときには、そのときに受信したＨＴＴＰリクエストの内容が、「適用」ボタン操作であったかどうかを調べる（判断２０５）。
【００７６】
判断２０５の結果がＹＥＳになるときには、そのときに入力されたＩＰアドレスの値をＷＷＷブラウザへ通知するための図８に示したような内容を備えたクッキーファイルを作成し、そのクッキーファイルを、そのときのレスポンスとして送信元へと送信する（処理２０６）。
【００７７】
また、また、判断２０５の結果がＮＯになるときには、そのときに受信したＨＴＴＰリクエストの内容が、「戻る」ボタン操作であったかどうかを調べる（判断２０７）。
【００７８】
判断２０７の結果がＹＥＳになるときには、図４に示したＩＰ設定画面に、ＩＰアドレス値をセットし、そのＩＰアドレス値を伴うＩＰ設定画面のＨＴＭＬファイルを、そのときのレスポンスとして送信元へと送信する（処理２０８）。
【００７９】
また、判断１０７の結果がＮＯになるときには、そのときに受信したＨＴＴＰリクエストの内容に応じた処理を実行する（処理２０９）。
【００８０】
このようにして、本実施例では、ユーザがＷＷＷブラウザを操作して新しく設定したＩＰアドレスを、クッキーファイルとして、ＷＷＷブラウザへ応答するようにしているので、ＷＷＷブラウザ側では、新しいＩＰアドレスを、目的のネットワークファクシミリ装置ＦＸのＩＰアドレスとして適用することができ、ユーザが新しいＩＰアドレスを操作入力する手間を省くことができ、便利である。
【００８１】
図９は、ＩＰ設定操作に関し、ネットワークファクシミリ装置ＦＸが実行する処理のさらに他の例を示している。
【００８２】
まず、自端末宛のＨＴＴＰリクエストを受信すると（判断３０１の結果がＹＥＳ）、受信したＨＴＴＰリクエストの内容を解析し（処理３０２）、そのときに受信したＨＴＴＰリクエストの内容が、ＩＰ設定操作であったかどうかを調べる（判断３０３）。
【００８３】
判断３０３の結果がＹＥＳになるときには、図４に示したようなＩＰ設定画面を構成するＨＴＭＬファイルを、そのときのレスポンスとして要求元へ送信する（処理３０４）。
【００８４】
また、判断３０３の結果がＮＯになるときには、そのときに受信したＨＴＴＰリクエストの内容が、「適用」ボタン操作であったかどうかを調べる（判断３０５）。
【００８５】
判断３０５の結果がＹＥＳになるときには、そのときに入力されたＩＰアドレスの値を含み、自端末へアクセスする際に参照すべきＵＲＬを作成し、そのＵＲＬを、ＷＷＷブラウザに設けられているホームページ操作ボタンに割り付ける応答を、そのときのレスポンスとして送信元へと送信する（処理３０６）。
【００８６】
また、また、判断３０５の結果がＮＯになるときには、そのときに受信したＨＴＴＰリクエストの内容が、「戻る」ボタン操作であったかどうかを調べる（判断３０７）。
【００８７】
判断３０７の結果がＹＥＳになるときには、図４に示したＩＰ設定画面に、ＩＰアドレス値をセットし、そのＩＰアドレス値を伴うＩＰ設定画面のＨＴＭＬファイルを、そのときのレスポンスとして送信元へと送信する（処理３０８）。
【００８８】
また、判断３０７の結果がＮＯになるときには、そのときに受信したＨＴＴＰリクエストの内容に応じた処理を実行する（処理３０９）。
【００８９】
このようにして、本実施例では、ユーザがＷＷＷブラウザを操作して新しく設定したＩＰアドレスに対応して、変化した自端末をアクセスするために参照するＵＲＬを、ＷＷＷブラウザのホームページ操作ボタンへ割り付けるようにしているので、ユーザは、次にネットワークファクシミリ装置ＦＸへアクセスするときには、ホームページ操作ボタンを選択操作するだけでよく、非常に操作が簡便なものとなる。
【００９０】
図１０は、本発明の他の実施例にかかるネットワークシステムを示している。このネットワークシステムは、ネットワークファクシミリ装置ＩＦＡＸ（ネットワークファクシミリ装置ＦＸと同等の機能を備える）、パーソナルコンピュータ装置等のクライアント装置ＣＰＣ、および、ＩＰネットワークＮＷに接続される各端末について、ＩＰアドレス等を管理するための管理サーバ装置ＭＳＶから構成されている。
【００９１】
この場合、図１１に示すように、まず、ネットワークファクシミリ装置ＩＦＡＸは、クライアント装置ＣＰＣのＷＷＷブラウザからＴＣＰ／ＩＰ設定のリクエストを受信すると、そのリクエスト（ＰＯＳＴ）に含まれるＩＰアドレス部分を抽出する。他の情報（例えば、アクセスコントロール情報など）があればそれらも抽出する。
【００９２】
これにより、ネットワークファクシミリ装置ＩＦＡＸは、管理サーバ装置ＭＳＶに対して、通知されたＩＰアドレスの登録を要求する。このときには、ＨＴＴＰプロトコルやＳＯＡＰプロトコルなどを用いてＸＭＬで行うなどの方法がある。また、現在使用中のＩＰアドレスと、新たに設定するＩＰアドレスとの組を、管理サーバ装置ＭＳＶへ通知する。ここで、ＳＯＡＰ（Ｓｉｍｐｌｅ　Ｏｂｊｅｃｔ　Ａｃｃｅｓｓ　Ｐｒｏｔｏｃｏｌ）プロトコルは、ＨＴＴＰなどを下位プロトコルとして使用し、簡単なＸＭＬベースのメッセージをやり取りして、リモートマシン上のオブジェクト（データ）へアクセスするための通信プロトコル規格であり、Ｗ３Ｃ　（Ｗｏｒｌｄ　Ｗｉｄｅ　Ｗｅｂ　Ｃｏｎｓｏｒｔｉｕｍ）で策定されている。
【００９３】
管理サーバ装置ＭＳＶは、登録要求されたＩＰアドレスが登録可能であれば、当該ＩＰアドレスを、ネットワークファクシミリ装置ＩＦＡＸのＩＰアドレスとして登録するとともに、登録完了をネットワークファクシミリ装置ＩＦＡＸへ通知する。
【００９４】
それにより、ネットワークファクシミリ装置ＩＦＡＸは、クライアント装置ＣＰＣに対して、登録完了を通知する画面のＨＴＭＬファイルをレスポンスとして応答する。
【００９５】
それとともに、ネットワークファクシミリ装置ＩＦＡＸは、新しいＩＰアドレスを自端末に設定し、リセット動作を起動する。再起動後には、ネットワークファクシミリ装置ＩＦＡＸは、新たなＩＰアドレスを用いて接続することができる。
【００９６】
一方、クライアント装置ＣＰＣは、例えば、ネットワークファクシミリ装置ＩＦＡＸから受信した登録完了の通知画面内に埋め込まれているボタンなどのリンクを利用して、管理サーバ装置ＭＳＶにアクセスを行う。この時のリンク情報（管理サーバ装置ＭＳＶのアドレス）は、ネットワークファクシミリ装置側でＨＴＭＬファイル内に指定を行うことが好ましい。
【００９７】
そして、管理サーバ装置ＭＳＶから応答が返ってきたらその画面内に新しいリンク先（ネットワークファクシミリ装置ＩＦＡＸのアドレス）が書かれたＨＴＭＬファイルを受け取り、そのリンクを元に新しい接続先（ネットワークファクシミリ装置ＩＦＡＸ）に接続にいく。その際に、自動的に接続にいくこともできる。
【００９８】
図１２は、この場合に、ネットワークファクシミリ装置ＩＦＡＸが行う処理の一例を示している。
【００９９】
まず、ＨＴＴＰリクエストとして、ＴＣＰ／ＩＰ設定変更要求を受信すると（判断４０１の結果がＹＥＳ）、そのＨＴＴＰリクエストに含まれるＩＰアドレスを抽出する（処理４０２）。
【０１００】
そして、管理サーバ装置ＭＳＶへ接続し（処理４０３）、新しく通知されたＩＰアドレスの登録を要求する（処理４０４）。これにより、管理サーバ装置ＭＳＶから、登録完了が通知されると（判断４０５の結果がＹＥＳ）、登録完了を通知する画面のＨＴＭＬファイルを作成し（処理４０６）、処理４０６で作成したＨＴＭＬファイルをレスポンスとしてクライアント装置ＣＰＣへ送信する（処理４０７）。
【０１０１】
次いで、新しいＩＰアドレスを自端末に設定し（処理４０８）、リセット動作を起動する。
【０１０２】
【発明の効果】
以上説明したように、本発明によれば、新しく設定したＩＰアドレスをＨＴＭＬ上に保持しておくことができるので、ユーザーが入力した値を利用できるようになるという効果を得る。
【０１０３】
また、新しく設定したＩＰアドレスをクライアント上のローカルディスクにファイルとして保持しておくことにより、ユーザーが入力した値を利用できるようになるという効果も得る。
【０１０４】
また、新しく設定したＩＰアドレスをクライアント上のＷＷＷブラウザ自身に記憶させておくことにより、ユーザーが入力した値を利用できるようになるという効果も得る。
【０１０５】
また、新しく設定したＩＰアドレスを設定変更後にＷＷＷブラウザに返すＨＴＭＬファイル内のボタン等に割り付けることにより、新しい設定値に対してスムーズに画面移動（再接続）ができるようになるという効果も得る。
【０１０６】
ネットワーク通信装置のＩＰアドレスを管理する専用サーバーを設けることにより、ＩＰアドレスが変更された後にもユーザーが新たに設定した値を利用できるようになるという効果も得る。
【０１０７】
また、ＷＷＷブラウザに返すＨＴＭＬファイル内のボタン等にサーバーのアドレスを割り付けることにより、サーバーに容易に接続できるようになるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】ＨＴＴＰのプロトコルによる通信の一例を示したタイムチャート。
【図４】ＴＣＰ／ＩＰ設定画面の一例を示した概略図。
【図５】リセット中メッセージ画面の一例を示した概略図。
【図６】この場合のＩＰ設定操作に関し、ネットワークファクシミリ装置ＦＸが実行する処理の一例を示したフローチャート。
【図７】ＩＰ設定操作に関し、ネットワークファクシミリ装置ＦＸが実行する処理の他の例を示したフローチャート。
【図８】クッキーファイルの内容の一例を示した概略図。
【図９】ＩＰ設定操作に関し、ネットワークファクシミリ装置ＦＸが実行する処理のさらに他の例を示したフローチャート。
【図１０】本発明の他の実施例にかかるネットワークシステムを示したブロック図。
【図１１】ネットワークファクシミリ装置がＩＰアドレスを管理する管理サーバ装置に登録するシーケンスの一例を示したタイムチャート。
【図１２】ネットワークファクシミリ装置ＩＦＡＸが行う処理の一例を示したフローチャート。
【符号の説明】
ＦＸ，ＩＦＡＸ　ネットワークファクシミリ装置
ＭＳＶ　管理サーバ装置
ＣＰＣ　クライアント装置
【図１】
2004007455.tif 000003
【図２】
2004007455.tif 000004
【図３】
2004007455.tif 000005
【図４】
2004007455.tif 000006
【図５】
2004007455.tif 000007
【図６】
2004007455.tif 000008
【図７】
2004007455.tif 000009
【図８】
2004007455.tif 000010
【図９】
2004007455.tif 000011
【図１０】
2004007455.tif 000012
【図１１】
2004007455.tif 000013
【図１２】
2004007455.tif 000014